【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
B-((X)x-(CH2)a-A)n   (VI)、
(A-(CH2)a-(X)x-B-(X)x-(CH2)a-A)n   (IV)、
(A-(CH2)a-(X)x-B)n   (V)、及び
(B)n-(X)x-(CH2)a-A   (VII)
［式中、
Aはペルフルオロポリエーテルであり；
aは正の整数であり；
Xは、共有結合又は連結基であり；
xは正の整数であり；
Bはポリアルキレンオキシド単位であり；
nは、1を超える正の整数であり、複数のA、B、X、a及びxを含む化合物においては、それぞれは同じでも異なってもよい］
からなる群から選択される式を有する界面活性剤。
【請求項２】
式(II)
A-(CH2)a-(X)x-B-(X)x-(CH2)a-A   (II)
［式中、各A、X、a及びxは、同じでも異なってもよい］を有する、請求項１に記載の界面活性剤。
【請求項３】
各Aが、式
-[CF(CF3)CF2O]b-
［式中、bは正の整数である］の繰返し単位を含む、又は、
各Aが、式
-[CF2CF2O]c-[CF(CF3)CF2O]b-
［式中、b及びcはそれぞれ、0又は正の整数であり、ただし、bとcが共に0であることはない］の単位を含む、又は、
各Aが、式
CF3CF2CF2O-[CF(CF3)CF2O]b-CF(CF3)-
［式中、bは正の整数である］から構成される、請求項１又は２に記載の界面活性剤。
【請求項４】
bが1から100の整数である、請求項３に記載の界面活性剤。
【請求項５】
各aが1から5の整数であり、好ましくは各aが１である、請求項１から４のいずれか一項に記載の界面活性剤。
【請求項６】
少なくとも1つのXが共有結合である、請求項１から５のいずれか一項に記載の界面活性剤。
【請求項７】
少なくとも1つのXが連結基であり、好ましくは、少なくとも1つのXが、式-D-(E)h-(G)d-又は-(G)d-(E)h-D-［式中、Dは、NH、NMe、C(O)、CO2、O又はSOg（ここで、gは0、1若しくは2である）から選択され、Eは、アルキレン、場合により置換されたアリーレン又は場合により置換されたヘテロアリーレンから選択され、hは0又は1であり、Gは、C(O)NH、CO2、NH、NMe、O、C(O)、S又はSO2NHから選択され、dは0又は1である］の連結基であるか、又は少なくとも1つのXが、-C(O)NH-、-C(O)NMe-、-NHC(O)-、-NMeC(O)-、-C(O)S-、-SC(O)-、-C(O)O-、-OC(O)-、-OC(O)O-、-OC(O)NH-、-OC(O)NMe-、-O-、-S-、-NHC(O)NH-、-NMeC(O)NH-、-NHC(O)NMe-、-NHC(O)O-、-NMeC(O)O-、-SO2NH-、-NHSO2-、-NHSO2-C6H4-O-及び-O-C6H4-SO2NH-から選択される連結基である、請求項１から６のいずれか一項に記載の界面活性剤。
【請求項８】
各xが1である、請求項１から７のいずれか一項に記載の界面活性剤。
【請求項９】
各Bが、ポリエチレンオキシド単位、
ポリプロピレンオキシド単位、又は
式
-[CH2CH2O]e-、
［式中、eは正の整数である］の単位
を含む、請求項１から８のいずれか一項に記載の界面活性剤。
【請求項１０】
各Bが式
-[CH2]r-[CH2CH2O]e-[CH2]r'-、
［式中、eは正の整数であり、r及びr'は、それぞれ独立に0、1、2、3、4又は5である］の単位から構成され、好ましくは、各Bが式-[CH2CH2O]e-の単位から構成される、請求項１から９のいずれか一項に記載の界面活性剤。
【請求項１１】
各Bが式
-[CH(CH3)CH2O]f-[CH2CH2O]e-[CH2CH(CH3)O]f'-CH2CH(CH3)-
［式中、e、f及びf'は、それぞれ独立に正の整数である］から構成される、請求項１から９のいずれか一項に記載の界面活性剤。
【請求項１２】
eが1から100の整数である、請求項９から１１のいずれか一項に記載の界面活性剤。
【請求項１３】
f及びf'が、それぞれ独立に1から50の整数である、請求項１１又は請求項１２に記載の界面活性剤。
【請求項１４】
【化１】
2019522077.tif 000001
【化２】
2019522077.tif 000002
【化３】
2019522077.tif 000003
［式中、各b、e、f及びf'は、それぞれ独立に正の整数である］からなる群から選択される、請求項１から１３のいずれか一項に記載の界面活性剤。
【請求項１５】
【化４】
2019522077.tif 000004
［式中、
各b、e、f及びf'は、それぞれ独立に正の整数である］からなる群から選択される、請求項１から１４のいずれか一項に記載の界面活性剤。
【請求項１６】
請求項１から１５のいずれか一項に記載の界面活性剤を製造する方法であって、式(VIII)の化合物
A-(CH2)a-Y   (VIII)
［式中、Aはペルフルオロポリエーテルであり、
aは正の整数であり、
Yは、求核基、脱離基、又はイソシアナート基を含む］を、式(XI)の化合物
Z-B-Z   (XI)
［式中、Bはポリアルキレンオキシドであり、
各Zは、求核基、脱離基又はイソシアナート基を含む］
と反応させる工程を含む方法。
【請求項１７】
各Aが、式
-[CF(CF3)CF2O]b-
［式中、bは正の整数である］の繰返し単位を含む、又は、
各Aが、式
-[CF2CF2O]c-[CF(CF3)CF2O]b-
［式中、b及びcはそれぞれ、0又は正の整数であり、ただし、bとcが共に0であることはない］の単位を含む、又は、
各Aが、式
CF3CF2CF2O-[CF(CF3)CF2O]b-CF(CF3)-
［式中、bは正の整数である］から構成され、
好ましくはbは1から100の整数である、請求項１６に記載の方法。
【請求項１８】
各aが1から5の整数であり、好ましくは各aが１である、請求項１６又は請求項１７に記載の方法。
【請求項１９】
各Bが、ポリエチレンオキシド単位、
ポリプロピレンオキシド単位、又は
式
-[CH2CH2O]e-、
［式中、eは正の整数である］の単位を含む、請求項１６から１８のいずれか一項に記載の方法。
【請求項２０】
Bが、式-[CH2]r-[CH2CH2O]e-[CH2]r'-（好ましくは-[CH2CH2O]e-CH2CH2-）又は-[CH(CH3)CH2O]f-[CH2CH2O]e-[CH2CH(CH3)O]f'-CH2CH(CH3)-［式中、e、f及びf'は、それぞれ独立に正の整数であり、r及びr'は、それぞれ独立に0、1、2、3、4又は5である］から構成されており、好ましくは、eが1から100の整数であり且つ／又はf及びf'がそれぞれ独立に1から50の整数である、請求項１６から１９のいずれか一項に記載の方法。
【請求項２１】
Yが、NH2、NHMe、OH、SH、NCO、Cl、Br、I、OMe、OEt、OTs、OMs、OTf、OC6H4NO2、NHC(O)L、C(O)L、OC(O)L、SO2L及びOC6H4SO2L［ここで、Lは、Cl、Br、I、OMe、OEt、OH、OTs、OMs、OTf及びOC6H4NO2から選択される］から選択され、且つ／又は、Zが、NH2、OH、SH、NCO、Cl、Br、I、OMe、OEt、OH、OTs、OMs、OTf、OC6H4NO2、NHC(O)L、C(O)L、OC(O)L、SO2L及びOC6H4SO2L［ここで、LはCl、Br、I、OMe、OEt、OH、OTs、OMs、OTf及びOC6H4NO2から選択される］から選択される、請求項１６から２０のいずれか一項に記載の方法。
【請求項２２】
式(VIII)の化合物が、CF3CF2CF2O-[CF(CF3)CF2O]b-CF(CF3)-CH2OC6H4SO2Cl、CF3CF2CF2O-[CF(CF3)CF2O]b-CF(CF3)-CH2SO2Cl、CF3CF2CF2O-[CF(CF3)CF2O]b-CF(CF3)-CH2OC(O)OC6H4NO2、CF3CF2CF2O-[CF(CF3)CF2O]b-CF(CF3)-CH2OH、CF3CF2CF2O-[CF(CF3)CF2O]b-CF(CF3)-CH2NCO、CF3CF2CF2O-[CF(CF3)CF2O]b-CF(CF3)-CH2NH2及びCF3CF2CF2O-[CF(CF3)CF2O]b-CF(CF3)-CH2NHMe、［ここで、bは1から50の整数である］からなる群から選択され、且つ／又は
式(XI)の化合物が、TsO-CH2CH2-[OCH2CH2]e-OTs、MsO-CH2CH2-[OCH2CH2]e-OMs、NO2C6H4OC(O)O-CH2CH2-[OCH2CH2]e-OC(O)OC6H4NO2、OCN-CH2CH2-[OCH2CH2]e-NCO、H2N-[CH2]3-[OCH2CH2]e-CH2-NH2及びH2N-[CH(CH3)CH2O]f-[CH2CH2O]e-[CH2CH(CH3)O]f'-CH2CH(CH3)-NH2［式中、eは1から100の整数であり、f及びf'は、それぞれ独立に1から50の整数である］から選択される、請求項１６から２１のいずれか一項に記載の方法。
【請求項２３】
B-((X)x-(CH2)a-A)n   (VI)、
(A-(CH2)a-(X)x-B-(X)x-(CH2)a-A)n   (IV)、
(A-(CH2)a-(X)x-B)n   (V)、及び
(B)n-(X)x-(CH2)a-A   (VII)
［式中、
Aはペルフルオロポリエーテルであり；
aは正の整数であり；
Xは、共有結合又は連結基であり；
xは正の整数であり；
Bはポリアルキレンオキシド単位であり；
nは、1を超える正の整数であり、複数のA、B、X、a及びxを含む化合物においては、それぞれは同じでも異なってもよい］からなる群から選択される式を有する界面活性剤を含む組成物。
【請求項２４】
請求項１から２２のいずれか一項に規定の、(VI)、(IV)、(V)、(VII)及び(II)からなる群から選択される式を有する化合物の界面活性剤としての使用。
【請求項２５】
エマルジョンの調製における、請求項１から２２のいずれか一項に記載の界面活性剤の使用。
【請求項２６】
エマルジョンの形態、
好ましくは、
不連続水性相；
連続油相；及び
前記界面活性剤
を含むエマルジョンの形態の、請求項２３に記載の組成物。
【請求項２７】
(i) 水性相を準備する工程と；
(ii) 油相を準備する工程と；
(iii) 前記水性相、前記油相及び界面活性剤を混合して、エマルジョンを形成する工程と
を含み、前記界面活性剤が、
B-((X)x-(CH2)a-A)n   (VI)、
(A-(CH2)a-(X)x-B-(X)x-(CH2)a-A)n   (IV)、
(A-(CH2)a-(X)x-B)n   (V)、及び
(B)n-(X)x-(CH2)a-A   (VII)
［式中、
Aはペルフルオロポリエーテルであり；
aは正の整数であり；
Xは、共有結合又は連結基であり；
xは正の整数であり；
Bはポリアルキレンオキシド単位であり；
nは、1を超える正の整数であり、複数のA、B、X、a及びxを含む化合物においては、それぞれは同じでも異なってもよい］からなる群から選択される式を有する、
請求項２６に記載のエマルジョンを調製する方法。
【請求項２８】
前記混合が、マイクロ流体デバイスのフローフォーカス型合流法によるものである、請求項２７に記載の方法。
【請求項２９】
請求項２６に記載のエマルジョンの不連続水性相において、1種又は複数の化学的及び/若しくは生物学的反応、並びに/又は生物学的プロセスを実施する工程を含む方法。